(57)【特許請求の範囲】
【請求項１】
被取付部の取付孔に埋設される照明器具であって、
光源としてのＬＥＤを備え、下面に、下方に突出する筒状の立壁が設けられ、前記立壁の外周に、上下方向に直交する方向である側方に突出する突起が設けられ、かつ、前記下面における、前記立壁の外側近傍の、前記側方に突出する突起と干渉しない位置にねじ孔が設けられる灯具本体と、
内側に反射面を有し、かつ下方に拡径する円錐台状の筒体を備え、前記円錐台状の筒体の上面には、前記筒状の立壁を取り囲むようにして嵌め込むことが可能な大きさの開口が設けられ、前記開口の周囲の環状の部分には、前記灯具本体の前記側方に突出する突起に嵌合する凹部と、前記灯具本体の前記ねじ孔に差し込まれるねじが貫通する貫通穴と、が設けられる反射板と、
前記灯具本体の下方に位置する枠部と、
を有し、
前記反射板の、前記開口の周囲の環状の部分を、前記灯具本体の前記立壁に嵌め込む際に、前記反射板が前記灯具本体に向かって進行され、前記反射板の前記環状の部分が前記灯具本体の前記立壁によって案内され、かつ、前記反射板の前記凹部が前記灯具本体の前記側方に突出する突起と嵌合し、前記反射板の前記貫通穴が前記灯具本体の前記ねじ孔に重なるように位置決めされる照明器具。
【請求項２】
請求項１に記載の照明器具において、
前記反射板の、前記開口の周囲の環状の部分の表面と、前記灯具本体の下面と、の間に、防水用のシール材が設けられ、前記シール材の、前記反射板の凹部および貫通穴に対応する位置には、前記反射板の凹部および貫通穴に対応する大きさの凹部が設けられる照明器具。
【発明の詳細な説明】
【技術分野】
【０００１】
本発明は、ＬＥＤを光源として天井に埋設されて設置され、一例としてダウンライトに適用される照明器具に関する。
【背景技術】
【０００２】
従来より、ＬＥＤが実装された基板にレンズが取り付けられ、ＬＥＤから投光された光をレンズで配光して照射する照明器具が知られている（例えば、特許文献１参照）。
【先行技術文献】
【特許文献】
【０００３】
【特許文献１】特開２０１０−４９８３０号公報（図９、段落００２２）
【発明の概要】
【発明が解決しようとする課題】
【０００４】
ところで、照明器具のなかには、図７に示すように、本体１００に反射板１０１が取付ばね１０２の引上力で取り付けられることにより、反射板１０１がレンズの前方に配置されたものがある。
しかし、軒下環境での使用を想定すると、風等の想定外の環境において反射板１０１が取付ばね１０２の引上力に抗して外れることが考えられる。
【０００５】
また、照明器具のなかには、図８（Ａ）に示すように、反射板１１０をソケット台１１１に取り付ける際に、図８（Ｂ）に示すように、反射板１１０のだるま孔１１２をソケット台１１１の取付ねじ１１３に合わせて嵌合し、反射板１１０を回転させて反射板１１０を取付ねじ１１３で支え、この状態で取付ねじ１１３を締め付けるように構成されたものがある。
しかし、この構成は、ソケット台１１１にダイカスト成形部品を用いる場合、ダイカスト成形の際にソケット台１１１に取付ねじ１１３を一体に成形する必要があり、そのことがコストアップの要因となる。
【０００６】
コストを抑える方法として、反射板１１０側に取付ねじを設けてソケット台１１１側にだるま孔を設けることが考えられる。
しかし、反射板１１０側に取付ねじを設けた場合、ソケット台１１１側のねじ孔が反射板で隠れてしまう。このため、ねじ孔を感覚的に探しながらねじ孔に取付ねじを位置合わせする必要があり、反射板１１０の取付作業性に改良の余地が残されている。
【０００７】
さらに、照明器具のなかには、図９に示すように、防雨構造を確保するために、補助反射板１２０の上側にパネル１２１を設け、パネル１２１により水の浸入を防ぐように構成したものがある。
【０００８】
この照明器具によれば、万が一、パネル１２１の上方に水が浸入した場合に、パネル１２１および補助反射板１０２間の水抜き用の隙間から水を抜け出させることが可能である。
さらに、充電部には水気が浸入しないように構成されている。
しかし、この照明器具は、補助反射板１２０の上側にパネル１２１を設けるため、そのことがコストアップの要因となる。
【０００９】
本発明は、前述した課題を解決するためになされたものであり、その目的は、補助反射板の取付が容易で、かつ、コストを抑えることができる照明器具を提供することにある。
【課題を解決するための手段】
【００１０】
本発明の照明器具は、被取付部の取付孔に埋設される照明器具であって、光源としてのＬＥＤを備え、下面に、下方に突出する筒状の立壁が設けられ、前記立壁の外周に、上下方向に直交する方向である側方に突出する突起が設けられ、かつ、前記下面における、前記立壁の外側近傍の、前記側方に突出する突起と干渉しない位置にねじ孔が設けられる灯具本体と、内側に反射面を有し、かつ下方に拡径する円錐台状の筒体を備え、前記円錐台状の筒体の上面には、前記筒状の立壁を取り囲むようにして嵌め込むことが可能な大きさの開口が設けられ、前記開口の周囲の環状の部分には、前記灯具本体の前記側方に突出する突起に嵌合する凹部と、前記灯具本体の前記ねじ孔に差し込まれるねじが貫通する貫通穴と、が設けられる反射板と、前記灯具本体の下方に位置する枠部と、を有し、前記反射板の、前記開口の周囲の環状の部分を、前記灯具本体の前記立壁に嵌め込む際に、前記反射板が前記灯具本体に向かって進行され、前記反射板の前記環状の部分が前記灯具本体の前記立壁によって案内され、かつ、前記反射板の前記凹部が前記灯具本体の前記側方に突出する突起と嵌合し、前記反射板の前記貫通穴が前記灯具本体の前記ねじ孔に重なるように位置決めされる。
【００１１】
また、本発明の照明器具は、前記反射板の、前記開口の周囲の環状の部分の表面と、前記灯具本体の下面と、の間に、防水用のシール材が設けられ、前記シール材の、前記反射板の凹部および貫通穴に対応する位置には、前記反射板の凹部および貫通穴に対応する大きさの凹部が設けられる。
【発明の効果】
【００１２】
本発明の照明器具によれば、補助反射板の開口部をＬＥＤユニット部の立壁に嵌め込む際に、立壁で補助反射板の開口部を案内できる。さらに、ＬＥＤニット部の立壁に設けた突起に補助反射板の開口部に設けた凹部を嵌合させることによりＬＥＤニット部に対する補助反射板の位置合わせが容易になる。
このように、立壁で補助反射板の開口部を案内し、さらに、ＬＥＤニット部に対する補助反射板の位置合わせが容易になることにより、ＬＥＤニット部に補助反射板を取り付ける際の取付作業性を高めることができる。
【図面の簡単な説明】
【００１３】
【図１】本発明に係る照明器具を示す斜視図
【図２】図１の照明器具を示す側面図
【図３】図１の照明器具を示す分解斜視図
【図４】図１の照明器具を下方から見た状態を示す分解斜視図
【図５】図１の照明器具に備えた枠部およびＬＥＤユニット部を示す斜視図
【図６】図５のＡ部拡大図
【図７】従来の照明器具を示す側面図
【図８】（Ａ）は従来の他の照明器具を組み付ける例を示す斜視図、（Ｂ）は他の照明器具の要部を示す斜視図
【図９】従来のもう一つの他の照明器具を示す側面図
【発明を実施するための形態】
【００１４】
以下、本発明の実施形態に係る照明器具について図面を参照して説明する。
【００１５】
図１、図２に示すように、本発明の実施形態である照明器具１０は、天井（被取付部）１１等の取付孔１２に埋設可能な枠部１４と、枠部１４内に首振り可能に設けられたＬＥＤユニット部１６と、ＬＥＤユニット部１６に設けられた補助反射板１８と、ＬＥＤユニット部１６および補助反射板１８間に設けられたパッキン２１とを備え、一例としてダウンライトに適用される照明器具である。
【００１６】
図３に示すように、枠部１４は、略環状に形成された環状部（筒部）２５と、環状部２５の下端部に形成されたフランジ２６とを備えている。
フランジ２６は、図２に示すように、環状部２５が取付孔１２内に挿入された状態で天井１１の下面１１Ａに当接することにより枠部１４を天井１１に位置決めする部位である。
この枠部１４内にＬＥＤユニット部１６が首振り手段１７を介して首振り可能に支持されている。
【００１７】
図３、図４に示すように、ＬＥＤユニット部１６は、略円筒形状に形成された灯具本体３１と、灯具本体３１内の下端側に設けられたレンズ板３２と、レンズ板３２の奥側に設けられたＬＥＤ（光源）３３と、灯具本体３１の頂部に設けられた放熱用のフィン３４とを備えている。
【００１８】
図５に示すように、灯具本体３１は、首振り手段１７を介して矢印方向（図２参照）に首振り可能に設けられ、先端部３１Ａに筒状の立壁３６が設けられている。
さらに、灯具本体３１は、図４、図６に示すように、立壁３６の外周３６Ａに一対の突起３８が１８０°の間隔をおいて設けられ、立壁３６の外側部位３１Ｂに一対のねじ孔３９が１８０°の間隔をおいて設けられている。
【００１９】
図４に示すように、補助反射板１８は、基端部１８Ａから先端部１８Ｂに向けて徐々に拡径する円錐台状の筒体に形成されている。
この補助反射板１８は、開口部４２を備え、開口部４２のうち基端部１８Ａ側の部位４２Ａが立壁３６に嵌込み可能に形成されている。
【００２０】
この開口部４２の周縁４２Ｂに一対の凹部４４が１８０°の間隔をおいて設けられている。一対の凹部４４は、一対の突起３８に嵌合可能に形成されている。
さらに、開口部４２の周縁４２Ｂ近傍に一対のねじ部４６が１８０°の間隔をおいて設けられている。
一対のねじ部４６は、開口部４２のうち基端部１８Ａ側の部位４２Ａが立壁３６に嵌め込まれた状態において、一対のねじ孔３９に対して同軸上に配置可能に形成されている。
【００２１】
図２、図３に示すように、ＬＥＤユニット部１６の灯具本体３１および補助反射板１８の基端部１８Ａ間にパッキン２１が設けられている。
パッキン２１は、ＬＥＤユニット部１６（灯具本体３１）および補助反射板１８（基端部１８Ａ）間の防水性を確保可能なシール材である。
【００２２】
パッキン２１の外周縁に、一対のねじ部４６に嵌合する一対の嵌合凹部２１Ａが形成されている。
また、パッキン２１の内周縁に、一対の凹部２１Ｂが１８０°の間隔をおいて形成されている。一対の凹部２１Ｂは、開口部４２の周縁４２Ｂに形成された一対の凹部４４に対応する部位に形成されている。
【００２３】
次に、ＬＥＤユニット部１６の灯具本体３１に補助反射板１８を取り付ける例を図４に基づいて説明する。
まず、補助反射板１８の基端部１８Ａにパッキン２１（図３参照）を載置する。この状態において、補助反射板１８の開口部４２のうち基端部１８Ａ側の部位４２Ａを立壁３６に嵌め込む。
この際に、立壁３６で補助反射板１８の開口部４２を案内できるので、補助反射板１８を立壁３６に容易に嵌め込むことができる。
【００２４】
補助反射板１８を立壁３６に嵌め込む際に、ＬＥＤニット部１６の立壁３６に設けた一対の突起３８に補助反射板１８の開口部４２に設けた一対の凹部４４を嵌合させる。
これにより、ＬＥＤニット部１６に対して補助反射板１８を所定位置に容易に位置合わせできる。
【００２５】
ＬＥＤニット部１６に対して補助反射板１８を位置合わせすることで、灯具本体３１の一対のねじ孔３９に対して補助反射板１８の一対のねじ部４６を同軸上に配置できる。
よって、一対のねじ孔３９に一対のねじ部４６をそれぞれ容易に差し込むことができる。一対のねじ孔３９に一対のねじ部４６を差し込んだ状態で、一対のねじ部４６を一対のねじ孔３９にそれぞれねじ結合することによりＬＥＤユニット部１６の灯具本体３１に補助反射板１８を一対のねじ部４６で取り付けることができる。
【００２６】
このように、一対の立壁３６で補助反射板１８の開口部４２を案内し、さらに、ＬＥＤニット部１６に対する補助反射板１８の位置合わせを容易に行うことにより、ＬＥＤニット部１６に補助反射板１８を取り付ける際の取付作業性を高めることができる。
【００２７】
加えて、ＬＥＤユニット部１６および補助反射板１８間にパッキン２１を設けることにより、ＬＥＤユニット部１６および補助反射板１８間の防水性を確保できる。
このように、ＬＥＤユニット部１６および補助反射板１８間にパッキン２１を設けるだけの簡素な構成で防水性を確保できるので、従来技術で説明したように、補助反射板１８の上にパネルを設ける必要がなくコストを抑えることができる。
【００２８】
なお、本発明に係る照明器具は、前述した実施形態に限定されるものではなく適宜変更、改良等が可能である。
例えば、実施形態では、灯具本体３１に一対のねじ孔３９を設けるとともに補助反射板１８に一対のねじ部４６を設けた例について説明したが、これに限らないで、ねじ孔３９の個数やねじ部４６の本数を適宜選択できる。
【００２９】
また、実施形態では、立壁３６に一対の突起３８を設けるとともに補助反射板１８に一対の凹部４４を設けた例について説明したが、これに限らないで、一対の突起３８や一対の凹部４４の個数を適宜選択できる。
【００３０】
さらに、実施形態で使用した照明器具、天井、枠部、ＬＥＤユニット部、補助反射板、立壁、突起および凹部等の形状や構成は例示したものに限定するものではなく適宜変更が可能である。
【符号の説明】
【００３１】
１０  照明器具
１１  天井（被取付部）
１２  取付孔
１４  枠部
１６  ＬＥＤユニット部
１８  補助反射板
３６  立壁
３６Ａ  立壁の外周
３８  突起
３９  ねじ孔
４２  開口部
４４  凹部
４６  ねじ部
【図１】
0005685724.tif 000002
【図２】
0005685724.tif 000003
【図３】
0005685724.tif 000004
【図４】
0005685724.tif 000005
【図５】
0005685724.tif 000006
【図６】
0005685724.tif 000007
【図７】
0005685724.tif 000008
【図８】
0005685724.tif 000009
【図９】
0005685724.tif 000010